(57)【要約】【課題】原稿の画像が単色であるか、多色であるかを検知する際の誤検知を生じにくくすることができる原稿読取装置及び画像形成装置を提供する。【解決手段】原稿読取装置１００は、プラテン部材１０６と、原稿を読み取る読取部１３０と、開閉可能なプラテンカバー部１１０と、プラテンカバー部１１０の開閉を検知する開閉センサ３０４と、原稿の大きさを検知する原稿センサ３０６と、原稿が単色か多色かを検知するカラー検出回路２１４と、プラテンカバー部１１０が開いていて、読取部１３０によって原稿が読み取られる原稿読取領域の大きさが原稿センサ３０６によって検知された原稿の大きさよりも大きい場合、原稿センサ３０６で検知された原稿の大きさを検知領域として原稿が単色か多色かを検知するようにカラー検出回路２１４を制御するＣＰＵ２１８とを有する。【選択図】図９
2010041389.tif 000002
【特許請求の範囲】
【請求項１】
光を透過する透過部と、
前記透過部に載せられた原稿に光を照射し、照射した光の原稿からの反射光に基づいて原稿の画像を読み取る読取部と、
閉じられた状態で前記透過部を覆うように開閉可能な開閉部と、
前記開閉部の開閉状態を検知する開閉検知手段と、
前記透過部に載せられた原稿の大きさを検知する原稿検知手段と、
前記透過部に載せられた原稿の所定の検知領域の画像から、原稿が単色であるか、多色であるかを検知する色検知手段と、
前記開閉検知手段により前記開閉部が開いているとの検知がなされた場合であって、前記原稿検知手段によって検知された原稿の大きさと、前記読取部によって原稿が読み取られる原稿読取領域の大きさと比較し、前記原稿読取領域の大きさが前記原稿検知手段によって検知された原稿の大きさよりも大きい場合、前記原稿読取手段によって検知された原稿の大きさを前記検知領域として、原稿が単色であるか多色であるかを検知するように前記色検知手段を制御する制御部と、
を有する原稿読取装置。
【請求項２】
前記制御部は、前記開閉検知手段により前記開閉部が開いているとの検知がなされた場合であって、前記原稿読取領域の大きさが前記原稿検知手段によって検知された原稿の大きさ以下である場合、前記原稿読取領域を前記検知領域として、原稿が単色であるか多色であるかを検知するように前記色検知手段を制御する請求項１記載の原稿読取装置。
【請求項３】
前記制御部は、前記開閉検知手段により前記開閉部が閉じているとの検知がなされた場合、前記原稿読取領域を前記検知領域として原稿が単色であるか多色であるかを検知するように前記色検知手段を制御する請求項１又は２記載の原稿読取装置。
【請求項４】
原稿読取装置と、
前記原稿読取装置が読み取った画像情報に基づいて画像形成を行う画像形成部と、
を有し、
前記原稿読取装置は、
光を透過する透過部と、
前記透過部に載せられた原稿に光を照射し、照射した光の原稿からの反射光に基づいて原稿の画像を読み取る読取部と、
閉じられた状態で前記透過部を覆うように開閉可能な開閉部と、
前記開閉部の開閉状態を検知する開閉検知手段と、
前記透過部に載せられた原稿の大きさを検知する原稿検知手段と、
前記透過部に載せられた原稿の所定の検知領域の画像から、原稿が単色であるか、多色であるかを検知する色検知手段と、
前記開閉検知手段により前記開閉部が開いているとの検知がなされた場合であって、前記原稿検知手段によって検知された原稿の大きさと、前記読取部によって原稿が読み取られる原稿読取領域の大きさと比較し、前記原稿読取領域の大きさが前記原稿検知手段によって検知された原稿の大きさよりも大きい場合、前記原稿読取手段によって検知された原稿の大きさを前記検知領域として、原稿が単色であるか多色であるかを検知するように前記色検知手段を制御する制御部と、
を有する画像形成装置。
【発明の詳細な説明】
【技術分野】
【０００１】
本発明は、原稿読取装置及び画像形成装置に関する。
【背景技術】
【０００２】
特許文献１には、入力カラー信号を明度信号を色度信号に分離する分離手段と前記色度信号に応じて、有彩／無彩を判定する判定手段と、所定の色を前記判定手段から除外する制御手段とを有するカラー画像処理装置が開示されている。
【０００３】
【特許文献１】特開平４−９０６７５号公報
【発明の開示】
【発明が解決しようとする課題】
【０００４】
本発明は、原稿の画像が単色であるか、多色であるかを検知する際の誤検知を生じにくくすることができる原稿読取装置及び画像形成装置を提供することを目的とする。
【課題を解決するための手段】
【０００５】
請求項１に係る本発明は、光を透過する透過部と、前記透過部に載せられた原稿に光を照射し、照射した光の原稿からの反射光に基づいて原稿の画像を読み取る読取部と、閉じられた状態で前記透過部を覆うように開閉可能な開閉部と、前記開閉部の開閉状態を検知する開閉検知手段と、前記透過部に載せられた原稿の大きさを検知する原稿検知手段と、前記透過部に載せられた原稿の所定の検知領域の画像から、原稿が単色であるか、多色であるかを検知する色検知手段と、前記開閉検知手段により前記開閉部が開いているとの検知がなされた場合であって、前記原稿検知手段によって検知された原稿の大きさと、前記読取部によって原稿が読み取られる原稿読取領域の大きさと比較し、前記原稿読取領域の大きさが前記原稿検知手段によって検知された原稿の大きさよりも大きい場合、前記原稿読取手段によって検知された原稿の大きさを前記検知領域として、原稿が単色であるか多色であるかを検知するように前記色検知手段を制御する制御部と、を有する原稿読取装置である。
【０００６】
請求項２に係る本発明は、前記制御部は、前記開閉検知手段により前記開閉部が開いているとの検知がなされた場合であって、前記原稿読取領域の大きさが前記原稿検知手段によって検知された原稿の大きさ以下である場合、前記原稿読取領域を前記検知領域として、原稿が単色であるか多色であるかを検知するように前記色検知手段を制御する請求項１記載の原稿読取装置である。
【０００７】
請求項３に係る本発明は、前記制御部は、前記開閉検知手段により前記開閉部が閉じているとの検知がなされた場合、前記原稿読取領域を前記検知領域として原稿が単色であるか多色であるかを検知するように前記色検知手段を制御する請求項１又は２記載の原稿読取装置である。
【０００８】
請求項４に係る本発明は、原稿読取装置と、前記原稿読取装置が読み取った画像情報に基づいて画像形成を行う画像形成部と、を有し、前記原稿読取装置は、光を透過する透過部と、前記透過部に載せられた原稿に光を照射し、照射した光の原稿からの反射光に基づいて原稿の画像を読み取る読取部と、閉じられた状態で前記透過部を覆うように開閉可能
な開閉部と、前記開閉部の開閉状態を検知する開閉検知手段と、前記透過部に載せられた原稿の大きさを検知する原稿検知手段と、前記透過部に載せられた原稿の所定の検知領域の画像から、原稿が単色であるか、多色であるかを検知する色検知手段と、前記開閉検知手段により前記開閉部が開いているとの検知がなされた場合であって、前記原稿検知手段によって検知された原稿の大きさと、前記読取部によって原稿が読み取られる原稿読取領域の大きさと比較し、前記原稿読取領域の大きさが前記原稿検知手段によって検知された原稿の大きさよりも大きい場合、前記原稿読取手段によって検知された原稿の大きさを前記検知領域として、原稿が単色であるか多色であるかを検知するように前記色検知手段を制御する制御部と、を有する画像形成装置である。
【発明の効果】
【０００９】
請求項１に係る本発明によれば、原稿の画像が単色であるか、多色であるかを検知する際の誤検知を生じにくくすることができる原稿読取装置を提供することができる。
【００１０】
請求項２に係る本発明によれば、請求項１に係る本発明の効果に加えて、開閉部が開かれている場合に、原稿読取領域であって検知された原稿の大きさ外の部分のみが多色である場合にも原稿を多色であると検知することができる原稿読取装置を提供することができる。
【００１１】
請求項３に係る本発明によれは、請求項１又は請求項２に係る本発明が奏する効果に加えて、開閉部が閉じられている場合に、原稿読取領域であって検知された原稿の大きさ外の部分のみが多色である場合にも原稿を多色であると検知することができる原稿読取装置を提供することができる。
【００１２】
請求項４に係る本発明によれば、原稿の画像が単色であるか、多色であるかを検知する際の誤検知を生じにくくすることができる画像形成装置を提供することができる。
【発明を実施するための最良の形態】
【００１３】
次に本発明の実施形態を図面に基づいて説明する。
図１には、本発明の実施形態に係る画像形成装置１０の概要が示されている。画像形成装置１０は原稿読取装置１００と、原稿読取装置１００が読み取った画像情報に基づいて画像形成を行う画像形成部１２とを有する。画像形成部１２は、例えば電子写真方式のもので、シートが積載された状態で収納されるシート収納容器１６を有し、シート収納容器１６からシート搬送路２０に供給されたシートに画像を形成するようになっている。
【００１４】
画像形成部１２は、画像形成部本体１４を有し、画像形成部本体１４内に、例えば感光体ドラムが用いられる像保持体２２と、像保持体２２を一様に帯電する帯電器２４と、帯電器２４により一様に帯電された像保持体２２に潜像を形成する露光装置２６と、露光装置２６により形成された像保持体２２上の潜像をトナーで可視化する現像装置２８と、現像装置２８により形成されたトナー像を、中間転写体として用いられる中間転写ベルト３０に転写する一次転写装置３２と、像保持体２２に残ったトナーをクリーニングする感光体クリーナ３４とが装着されている。
【００１５】
また、画像形成部本体１４内には、中間転写ベルト３０に転写されたトナー像をシートに転写する二次転写装置３８と、シートに転写された用紙を該シートに定着する定着装置４０と、中間転写ベルト３０をクリーニングする中間転写ベルトクリーナ４４とが装着されている。
【００１６】
また、例えば画像形成部本体１４の、例えば正面側には、ユーザインターフェイスとして用いられる操作パネル３０２が装着され、画像形成部本体１４の例えば右側面側には、画像形成がなされたシートが排出される排出部４２が装着されている。
【００１７】
露光装置２６は、例えばレーザ走査方式のもので、原稿読取装置１００が有する後述する光電変換素子１３８（図２参照）で読み取った原稿の画像情報をレーザのオンオフ信号に変えて出力する。現像装置２８は、例えばロータリ式のもので、Ｙ，Ｍ，Ｃ，Ｋ４色の現像器３６ａ，３６ｂ，３６ｃ，３６ｄを例えば周囲に配置されるように有し、各色を現像するときに像保持体２２に対峙するよう回転する。一次転写装置３２は例えばコロトロンから構成され、一次転写装置３２により４色のトナー像が中間転写ベルト３０に転写される。中間転写ベルト３０に転写されたトナー像は、二次転写装置３８によりシートに転写され、このシートが定着装置４０に送られ、定着装置４０によりトナー像がシートに定着され、トナー像が定着されたシートが排出部４２に排出される。中間転写ベルト３０に残ったトナーは中間転写ベルトクリーナ４４により掻き落される。
【００１８】
操作パネル３０２は、画像形成部１２で、例えば黒のトナー単色からなる単色画像を形成するのか、例えばイエロー、マゼンタ、シアン、黒のトナーで形成される多色画像を形成するのかの選択や、画像の倍率及び画質などを設定等の複数の動作モードを選択することができるようになっている。また、また、操作パネル３０２は、原稿読取装置１００が原稿を読み取る際の領域である原稿読取領域の設定や、原稿読取装置１００が原稿を読み取る複数のスキャンスピード（倍率）、白黒読み取り又はカラー読み取り、原稿搬送方法、複数サイズからの原稿サイズの設定等、複数の動作モードを選択することができるようになっている。
【００１９】
シート搬送路２０には、レジストロール４６が配置されている。レジストロール４６は、供給されたシートを一時停止させ、中間転写ベルト３０にトナー像が形成されるタイミングと同期してシートを二次転写装置３８にシートを供給するように制御される。
【００２０】
原稿読取装置１００は、光を透過する透過部として用いられ、光を透過する材質である例えばガラスから形成されるプラテン部材１０６有していて、原稿Ｄが置かれる読取台１０４と、読取台１０４に開閉可能に設けられ、開閉部として用いられるプラテンカバー部１１０とを有している。
【００２１】
読取台１０４は筐体として形成され、読取台１０４内には、プラテン部材１０６に載せられた原稿に光を照射し、照射した光の原稿からの反射光に基づいて原稿を読み取る読取部１３０が装着されている。また、プラテンカバー部１１０内には、原稿Ｄを自動で搬送する原稿搬送装置１６０が装着されている。原稿読取装置１００は、原稿搬送装置１６０により搬送中の原稿Ｄを流し読みする機能と、プラテン部材１０６上に載置された原稿Ｄを読み取る機能とを備えている。
【００２２】
図２には原稿読取装置１００の詳細が、図３には、プラテンカバー部１１０が読取台１０４に対して開かれた状態の原稿読取装置１００が示されている。
図２及び図３に示されるように、原稿読取装置１００は、軸１１６を備えたヒンジ部１１４を有し、ヒンジ部１１４によって読取台１０４とプラテンカバー部１１０とが連結されている。プラテンカバー部１１０は、軸１１６を中心に回転するようにして、読取台１０４に対して開閉する。プラテンカバー部１１０が閉じられた状態では、図２に示すようにプラテン部材１０６が覆われた状態となる、また、原稿読取装置１００には、プラテンカバー部１１０の開閉状態を検知する開閉検知手段として用いられる開閉センサ３０４が取り付けられている。
【００２３】
原稿搬送装置１６０は、読取前の原稿がセットされる原稿台１６２と、原稿を搬送する原稿搬送路１６４と、画像を読み取った後の原稿が排出される排出台１６６とを有する。原稿搬送路１６４は、主搬送部１６８と反転部１７０とを有する。主搬送部１６８はＵ字状に形成され、主搬送部１６８に沿って原稿搬送方向上流側から順に、搬送装置を構成するピックアップロール１７２、フィードロール１７４、プリレジストロール１７６、レジストロール１７８、アウトロール１８０、及び排出ロール１８２が設けられている。
【００２４】
ピックアップロール１７２は、原稿送り時に下降し、原稿台１６２に載置された原稿をピックアップする。フィードロール１７４は、ピックアップロール１７２から送られた原稿を捌き、最上部にある原稿のみを供給する。プリレジストロール１７６は、フィードロール１７４から送られた原稿を一時停止させてループを形成し、斜行補正をするようになっている。レジストロール１７８は、プリレジストロール１７６から送られた原稿を一時停止させ、読み取りタイミングをとるようにする。原稿を排出する場合は、排出ロール１８２を正転させ、アウトロール１８０及び排出ロール１８２を介して排出台１６６へ排出する。
【００２５】
反転部１７０は、一端がアウトロール１８０と排出ロール１８２との間で主搬送部１６８に接続され、他端がプリレジストロール１７６の上流側で主搬送部１６８に接続されている。反転部１７０の一端付近には反転ゲート１８４が設けられている。原稿を反転させる場合は、原稿の後端が排出ロール１８２付近まで到達した段階で排出ロール１８２を逆転させ、反転ゲート１８４が下方に位置することで原稿を反転部１７０に導くようにする。反転ゲート１８４は、原稿の押圧力で開き、反転ゲート１８４の自重で閉じるようにしてもよいし、反転ゲート１８４を開閉するアクチュエータを設けてもよい。
【００２６】
また、主搬送部１６８に沿って、搬送中の原稿を流し読みする際に原稿を読み取る位置である搬送原稿読取位置１８６が設けられている。搬送原稿読取位置１８６は、レジストロール１７８とアウトロール１８０との間に設けられ、原稿搬送装置１６０により送られた原稿を読み取るようにされている。
【００２７】
読取部１３０は、フルレートキャリッジ１３２、ハーフレートキャリッジ１３４、レンズ１３６及び光電変換素子１３８を有する。フルレートキャリッジ１３２は、光源１４０と、第１ミラー１４２とを有し、図２に矢印で示すように原稿の副走査方向（図２において左側から右側）をスキャン方向として、読取台１０４内をスキャン方向に、フルストロークの移動をするようにされている。
【００２８】
光源１４０は、原稿の主走査方向に延びる例えばハロゲン又はキセノンなどのランプであり、所定のスキャン幅が設定されている。ハーフレートキャリッジ１３４は、第２ミラー１４４及び第３ミラー１４６を有し、読取台１０４内を副走査方向に半ストロークの移動をするようにされている。
【００２９】
レンズ１３６は、フルレートキャリッジ１３２及びハーフレートキャリッジ１３４の移動範囲の上方に設けられたプラテン部材１０６に置かれた原稿、又は搬送原稿読取位置１８６を通る原稿などに対して光源１４０が照射した光の反射光を、第１ミラー１４２、第２ミラー１４４及び第３ミラー１４６を介して受け入れて結像させる。
【００３０】
光電変換素子１３８は、レンズ１３６による反射光の結像位置で反射光を受光し、例えばＲＧＢそれぞれのフィルタ（原色フィルタ）が設けられたフォトダイオードによって画素単位のＲＧＢそれぞれの光量に対応するアナログの電気信号を、後述する処理回路に対して出力する例えば３ラインカラーＣＣＤである。
【００３１】
搬送原稿読取位置１８６とプラテン部材１０６との間には、光源１４０が照射した光を反射する第１の基準白色板１５０が設けられている。第１の基準白色板１５０は、光を反射する反射面が基準となる白色にされており、例えば画像形成装置１０の電源投入時に、光源１４０が第１の基準白色板１５０に対して照射した光の反射光（初期の基準光量光）を、第１ミラー１４２、第２ミラー１４４、第３ミラー１４６及びレンズ１３６を介して光電変換素子１３８が受光できるようにされている。
【００３２】
図４には、プラテンカバー部１１０を開放した状態の読取台１０４が示されている。
図４に示されるように、搬送原稿読取位置１８６の両端には、光源１４０が照射した光を反射する第２の基準白色板１５２が、それぞれ設けられている。第２の基準白色板１５２は、光を反射する反射面が基準となる白色にされており、例えば原稿読取装置１００が原稿を流し読みすると同時に、光源１４０が第２の基準白色板１５２に対して照射した光の反射光（読取時の基準光量光）を、第１ミラー１４２、第２ミラー１４４、第３ミラー１４６及びレンズ１３６を介して光電変換素子１３８が受光できるようにされている。
【００３３】
読取台１０４の上向きの面と、第１の基準白色板１５０の上向きの面とには、操作者が原稿をプラテン部材１０６の上に載せる際に、例えば、Ａ４、Ｂ４、Ａ３等の原稿の大きさ、種類に応じて、原稿の位置合わせに用いられるガイドが、例えば印刷する等の方法で示されている。尚、図４中における二点鎖線は、Ａ４の原稿、Ｂ５の原稿、及びＡ３の原稿が、それぞれプラテン部材１０６に置かれた場合の、それぞれの大きさの原稿の位置を示している。
【００３４】
読取台１０４内部には、プラテン部材１０６に載せられた原稿の大きさを検知する原稿検知手段として用いられる原稿センサ３０６が設けられている。原稿センサ３０６は複数個が離散した状態で配置されていて、それぞれの原稿センサ３０６が原稿を検知するか否かの組み合わせによって、プラテン部材１０６に載せられた原稿の種類、大きさを検知し、判別することができるようになっている。
【００３５】
以上のように構成された原稿読取装置１００では、プラテン部材１０６に載置された原稿を読み取る場合には、原稿に向けて光源１４０が光を照射しつつ、フルレートキャリッジ１３２及びハーフレートキャリッジ１３４がそれぞれスキャン方向に移動することにより、原稿全面に対応する反射光を光電変換素子１３８が順次受光する。
また、原稿読取装置１００が原稿を流し読みする場合には、搬送原稿読取位置１８６において、搬送される原稿による反射光を光電変換素子１３８が原稿ごとに受光する。
【００３６】
図５には、原稿読取装置１００の構成がブロック図として示されている。
図５に示されるように、原稿読取装置１００は、先述の光電変換素子１３８と、操作パネル３０２と、開閉センサ３０４と、原稿センサ３０６を有する。また、原稿読取装置１００は、サンプルホールド回路２０２Ｒ、２０２Ｇ、２０２Ｂと、出力増幅回路２０４Ｒ、２０４Ｇ、２０４Ｂと、ＡＤ変換回路２０６Ｒ、２０６Ｇ、２０６Ｂと、シェーディング補正回路２０８Ｒ、２０８Ｇ、２０８Ｂと、出力遅延回路２１０Ｇ、２１０Ｂと、色空間変換回路２１２と、カラー検出回路２１４と、画像処理回路２１６と、ＣＰＣ２１８と、駆動回路２２０とを有する。
【００３７】
ここで、サンプルボード回路２０２Ｒ、出力増幅回路２０４Ｒ、ＡＤ変換回路２０６Ｒ、及びシェーディング補正回路２０８Ｂは、光電変換素子１３８で得られたアナログ画像信号Ｒを処理する信号系として用いられ、サンプルボード回路２０２Ｇ、出力増幅回路２０４Ｇ、ＡＤ変換回路２０６Ｇ、シェーディング補正回路２０８Ｇ、及び出力遅延回路２１０Ｇは、光電変換素子１３８で得られたアナログ画像信号Ｇを処理する信号系として用いられ、サンプルボード回路２０２Ｂ、出力増幅回路２０４Ｂ、ＡＤ変換回路２０６Ｂ、シェーディング補正回路２０８Ｂ、及び出力遅延回路２１０Ｂは、光電変換素子１３８で得られたアナログ画像信号Ｇを処理する信号系として用いられている。
【００３８】
光電変換素子１３８は、駆動回路２２０からの駆動信号によって駆動し、原稿を読みとり、アナログ画像信号Ｒ、Ｇ、Ｂを、サンプルボード回路２０２Ｒ、２０２Ｇ、２０２Ｂに出力する。すなわち、光電変換素子１３８は、アナログ画像信号Ｒを出力するラインセンサ（不図示）と、アナログライン信号Ｇを出力するラインセンサ（不図示）と、アナログライン信号Ｂを出力するラインセンサ（不図示）とを有し、これらのラインセンサが、原稿搬送方向を横切る方向（主走査方向）に一直線上に並んだＮ個の画素のＲ成分を表すアナログライン信号Ｒと、アナログライン信号Ｇと、アナログライン信号Ｂとを、それぞれに出力する。
【００３９】
サンプルボード回路２０２Ｒ、２０２Ｇ、２０２Ｂは、光電変換素子１３８から得られるアナログ画像信号Ｒ、Ｇ、Ｂをサンプリングする。出力増幅回路２０４Ｒ、２０４Ｇ、２０４Ｂは、アナログ画像信号Ｒ、Ｇ、Ｂを、それぞれ適正なレベルに増幅する。ＡＤ変換回路２０６Ｒ、２０６Ｇ、２０６Ｂは、アナログ画像信号Ｒ、Ｇ、Ｂを、デジタル画像データＲ、Ｇ、Ｂに、それぞれ変換する。
【００４０】
シェーディング補正回路２０８Ｂ、２０８Ｇ、２０８Ｂは、ＡＤ変換回路２０６Ｒ、２０６Ｇ、２０６Ｂからのデジタル画像データＲ、Ｇ、Ｂに対し、光電変換素子１３８が有する各色のラインセンサの感度バラツキや光学系の光量分布特性に対応した補正を施す。
【００４１】
出力遅延回路２１０Ｇ、２１０Ｂは、シェーディング補正回路２０８Ｇ、２０８Ｂから出力される画像データＧ、Ｂをそれぞれ４ライン相当、８ライン相当の遅延時間だけ遅延させ、画像データＲと同相の画像データとして出力する。
【００４２】
色空間変換回路２１２は、シェーディング補正回路２０８Ｒから入力される画像データＲ、出力遅延回路２１０Ｇから入力される画像データＧ、及び出力遅延回路２１０Ｂから入力される画像データＢを、Ｌ＊、ａ＊、ｂ＊表色系の画像データである画像データＬ＊、画像データａ＊、画像データｂ＊に変換して出力する。
【００４３】
画像処理回路２１６は、色空間変換回路２１２から出力された画像データＬ＊、画像データａ＊、画像データｂ＊に対し、画像形成装置１０が必要とする画像処理である、例えば拡大縮小処理、地肌除去処理、２値化処理などを施し、画像形成部１２（図１参照）に出力する。
【００４４】
カラー検出回路２１４は、色検知手段として用いられていて、色空間変換回路２１２から出力される画像データを用いて、プラテン部材１０６に載せられた原稿が、例えば黒一色等からなる単色の原稿であるのか、多色の原稿であるのかを検知する。カラー検出回路２１４による色検知の詳細については後述する。
【００４５】
ＣＰＵ２１８は、制御部として用いられていて、ＣＰＵ２１８には、操作パネル３０２からの、例えば黒のトナー単色からなる単色画像を形成するのか、例えばイエロー、マゼンタ、シアン、黒のトナーで形成される多色画像を形成するのかの選択に係る出力や、画像の倍率及び画質などの設定等、複数の動作モードに関する出力等が入力される。また、ＣＰＵ２１８には、操作パネル３０２から、原稿読取装置１００が原稿を読み取る際の領域である原稿読取領域の設定や、原稿読取装置１００が原稿を読み取るスキャンスピード（倍率）、白黒読み取り又はカラー読み取り、原稿搬送方法及び複数の原稿サイズの設定等、複数の動作モードに関する出力が入力される。
【００４６】
また、ＣＰＵ２１８には、開閉センサ３０４から、プラテンカバー部１１０が読取台１０４に対して開かれた状態であるのか、閉じられた状態であるのかの検知結果が入力される。また、ＣＰＵ２１８には、原稿センサ３０６による検知結果が入力され、該検知結果に基づいて、ＣＰＵ２１８はプラテンガラスに置かれた原稿の種類、大きさを判別する。
【００４７】
また、ＣＰＵ２１８は、駆動回路２２０によって行われる光電変換素子２２０の駆動の周期を設定するとともに、サンプルボード回路２０２Ｒ、２０２Ｇ、２０２Ｂ、出力増幅回路２０４Ｒ、２０４Ｇ、２０４Ｂ、ＡＤ変換回路２０６Ｒ、２０６Ｇ、２０６Ｂ、しぇシェーディング補正回路２０８Ｒ、２０８Ｇ、２０８Ｂ、色空間変換回路２１２、カラー検出回路２１４、及び画像処理回路２１６を制御する。
【００４８】
以上の説明では、色空間変換回路２１２から画像処理回路２１６に対して画像データが出力され、画像形成部１２で画像形成がなされる例を示したが、画像処理回路２１６への出力に替え、又は画像処理回路２１６への出力と併せて、例えばパーソナルコンピュータ等の外部装置に、画像処理回路２１６から画像データが出力されるようにしても良い。また、画像処理回路２１６への出力に替え、又は画像処理回路２１６への出力と併せて、例えばハードディスクや、メモリ等からなる記憶部（不図示）に画像データを記憶させるようにしても良い。
【００４９】
図６は、カラー検出回路２１４による、プラテン部材１０６に載せられた原稿が、例えば黒一色等からなる単色の原稿であるのか、多色の原稿であるのかの検知の一例を説明する図である。
カラー検出回路２１４は、入力された画像データＬ＊、ａ＊、ｂ＊に基づいて、図６に示すように、色検知を行う領域を予め定められた大きさの複数の領域に分割し、分割された各領域内の画素であって、多色の画素の数が予め定められた数以上であるか否かを判別する。そして、分割された各領域内の画素であって、多色の画素の数が予め定められた数以上であれば、その分割された領域が多色の領域であると判別する。一方、分割された領域内の画素であって、多色の画素の数が、予め定められた数よりも少なければ、その分割された領域が単色の領域であると判別する。
【００５０】
図６において、分割された各領域内に示された数字は多色画素の数であり、図６に示す例では、分割された領域内の多色の画素の数が１０以上であれは、その分割された領域が多色の領域であると判別がなされる。すなわち、図６に示す例では、斜線を付した領域である、多色の画素数が１０個である領域、２０個である領域、１３個である領域、及び１５個である領域が多色の領域であると判別される。
【００５１】
さらに、カラー検出回路２１４は、分割された領域であって、多色であると判別された領域が、予め定められた領域の数以上である場合、原稿が多色原稿であると判別し、多色であると判別された領域が予め定められた数よりも少なければ、原稿が単色であると判別する。図６に示す例において、予め定められた閾値となる領域の数が４であるとすると、多色であると判別された領域が４個であるため、カラー検出回路２１４は、原稿を多色原稿であると判別する。
【００５２】
カラー検出回路２１４が、プラテン部材１０６のどの領域から読み取られた画像信号に基づいてカラー検出を行うかは、ＣＰＵ２１８によって制御される。該制御の詳細は後述する。
【００５３】
図７には、プラテン部材１０６に原稿が載せられた状態が示されており、図７（ａ）には、定型原稿であるＡ４サイズの原稿がプラテン部材１０６に載せられた状態が示されており、図７（ｂ）には、非定型原稿がプラテン部材１０６に載せられた状態が示されている。
ここで、定型原稿とは、Ａ４サイズの原稿、Ｂ４サイズの原稿、Ａ３サイズの原稿等、多く読取がなされる原稿として、予め設定されているサイズの原稿をいう。この実施形態に係る原稿読取装置１００では、ＪＩＳ規格に定められる用紙のサイズであるＡ４サイズの原稿、Ｂ４サイズの原稿、及びＡ３サイズの原稿が定型の原稿として扱われるが、Ａ５サイズの原稿や、Ｂ５サイズの原稿を定型の原稿としてしても良い。また、国際判便箋に多用される用紙のサイズであり、レターサイズと称される８．５インチ×１１インチ(２１５．９ ｍｍ×２７９．４ ｍｍ)の原稿や、米政府公文書で用いられる用紙のサイズであり、リーガルサイズと称される８．５インチ×１４インチ(２１５．９ｍｍ×３５５．６ｍｍ)の原稿を定型の原稿としても良い。
【００５４】
また、この実施形態に係る原稿読取装置１００では、プラテン部材１０６上に、用紙の長い側の辺が、スキャン方向（図７（ａ）における左右方向）となるように原稿を置くことだけを想定して定型サイズが設定されているが、プラテン部材１０６上に、用紙の短い側の辺がスキャン方向となるよう置かれることを併せて想定して定型サイズを設定しても良い。
【００５５】
一方、非定型原稿とは、定型サイズとして設定されている原稿以外のサイズの原稿をいう。例えば、Ａ４サイズの原稿、Ｂ４サイズの原稿、及びＡ３サイズ原稿が定型サイズとして設定されていた場合、Ａ５サイズの原稿やリーガルサイズの原稿は、非定型サイズの原稿である。また、例えば、図７（ｂ）に示すように定型原稿の一部を切り取った原稿や、複数枚の原稿を互いにずらして状態で重ねて１枚の原稿として取り扱う場合の原稿も、非定型原稿である。
【００５６】
図８及び図９は、ＣＰＵ２１８が、カラー検出回路２１４がプラテン部材１０６のどの領域から読み取られた画像信号に基づいてカラー検出を行うかを制御する際のフローを示すフローチャートである。
【００５７】
図８に示すように、ＣＰＵ２１８は、最初のステップＳ１２で原稿読取領域の入力がなされたことを確認すると、次のステップＳ１４で入力された原稿読取領域を、図示を省略する記憶部に記憶する。
ステップＳ１２で確認される原稿読取領域の入力は、操作者が操作パネル３０２を操作することによってなされる。原稿読取領域の入力は、原稿読取装置１００で原稿を読み取る際に必ず必要な操作ではなく、原稿読取領域の入力がなされない場合、原稿読取装置１００は、プラテン部材１０６に載せられた原稿のサイズを原稿センサ３０６で検知して、検知された原稿のサイズに応じて、その原稿のサイズ全域の画像を読み取る。
【００５８】
操作者が原稿読取領域を指定する場合の例としては、例えば、図７（ｂ）に示すように、非定型原稿を読み取る場合を挙げることができる。図７（ｂ）に示す例では、非定型原稿の大きさは、定型サイズの原稿であるＡ４サイズよりも大きいものの、Ａ４サイズの原稿の次に大きい定型サイズの原稿であるＡ３よりは小さい。このため、原稿読取装置１００が、非定型原稿をＡ４サイズの原稿であると検知する場合がある。この場合、非定型原稿のＡ４サイズをはみ出した部分の読取がなされない。そして、このような場合に、操作者が、非定型原稿全体を読み込ませるために、原稿読取サイズとして非定型原稿よりも大きい定型の原稿サイズであるＡ３サイズを、原稿読取サイズとして指定することがある。
【００５９】
また、プラテン部材１０６に載せられた原稿の一部分だけを原稿読取装置１００に読み取らせるように、操作者が原稿読取サイズを指定することがある。
【００６０】
原稿読取領域が記憶された状態で原稿の読取が開始されると、図９に示されるように、ステップＳ３２で、ＣＰＵ２１８は原稿センサ３０６に、プラテン部材１０６に載せられた原稿の大きさを検知させる。
【００６１】
次のステップＳ３４で、ＣＰＵ２１８は、開閉センサ３０４からの出力に基づいて、プラテンカバー部１１０が開いているかどうかの判別を行い、プラテンカバー部１１０が開いているとの判別がなされた場合にはステップＳ３６に進み、プラテンカバー部１１０が閉じられているとの判別がなされた場合にはステップＳ４０に進む。
【００６２】
ステップＳ３６では、ＣＰＵ２１８は、ステップＳ１２で指定され、ステップＳ１４で記憶された原稿読取領域と、ステップＳ３２で検知された原稿のサイズとを比較し、指定され、記憶された原稿読取領域が検知された原稿サイズよりも大きい場合は、ステップＳ３８に進み、指定された原稿読取領域が、検知された原稿サイズ以下である場合は、ステップＳ４０に進む。
【００６３】
ステップＳ３８では、ＣＰＵ２１８は、Ｓ３２で検知された領域から読み取られた画像信号に基づいてカラー判別を行うようにカラー検出回路２１４を制御する。
例えば、プラテンカバー部１１０が開かれた状態であって、図７（ｂ）に示す形状の非定型原稿がプラテン部材１０６に置かれ、操作者によって現行の読み取りサイズがＡ３と指定され、原稿サイズがＡ４であると判別された場合、検知された原稿サイズであるＡ４の領域から読み取られた画像信号に基づいてカラー判別がなされる。すなわち、プラテン部材１０６表面であって、原稿が置かれていない領域からの画像信号は、カラー判別に用いられない。このため、原稿が単色画像であるにもかかわらず、プラテン部材１０６の原稿で覆われていない部分に差し込み、反射する光等をカラー画像であると誤認識することで、原稿を多色の原稿であるとの誤った判別がなされることがない。
【００６４】
ここで、仮に原稿読取領域であるＡ３の領域から読み取られた画像信号に基づいてカラー判別を行うとすると、プラテン部材１０６の原稿に覆われていない部分からの画像信号も原稿の色の判別に用いられるため、該部分に差し込み反射する光等をカラー画像であると誤認識して、単色の原稿を多色の原稿であるとする誤った判別がなされる虞がある。
【００６５】
ステップＳ４０では、ＣＰＵ２１８は、ステップＳ１２で入力された原稿読取領域から読み取られた画像信号に基づいてカラー判別を行うようにカラー検出回路２１４を制御する。
ここで、ステップＳ３４でプラテンカバー部１１０が閉じられているとの判別がなされた場合、このステップＳ４０で、原稿読取領域から読み取られた画像信号に基づいてカラー判別がなされる。このため、例えば、図７（ｂ）に示す形状の非定型原稿がプラテン部材１０６に載せられ、操作者によって原稿読取領域がＡ３と指定され、原稿サイズがＡ４と判別された場合を例とすると、非定型原稿の図７（ｂ）に示すＡ４の領域は単色の画像のみであるものの、Ａ４の領域からはみ出した部分にのみ多色の領域がある場合であっても、カラー検出回路２１４によって、非定型原稿が多色原稿であるとの判別がなされる。
【００６６】
また、ステップＳ３４でプラテンカバー部１１０が開かれているとの判別がなされ、ステップＳ３６で、原稿読取領域が、検知された原稿サイズ以下であるとの判別がなされた場合、このステップＳ４０で、原稿読取領域から読み取られた画像信号に基づいてカラー判別がなされる。このため、例えば、図７（ｂ）に示す形状の非定型原稿がプラテン部材１０６に載せられ、操作者によって原稿読取領域がＡ４として指定され、原稿サイズがＡ３と判別された場合、操作者が読み取りを指定した領域であるＡ４の領域内が単色の画像であれば、たとえ、Ａ４の領域をはみ出した部分にだけ多色の領域があった場合であっても、カラー検出回路２１４によって、非定型原稿が単色原稿であるとの判別がなされる。
【００６７】
以上で説明をした一連の制御に基づいて原稿が単色画像であるか、多色画像であるかの判別がなされた後、判別に基づいて原稿読取装置１００で原稿の読み取りがなされ、画像処理回路２１６で処理された画像データが画像形成部１２（図１参照）に出力され、原稿が単色であるとの判別がなされた場合は、画像形成部１２で単色の画像が形成され、原稿が多色であるとの判別がなされた場合は、画像形成部１２で多色の画像が形成される。
【産業上の利用可能性】
【００６８】
以上で説明をしたように、本発明は原稿読取装置と、例えば複写機等の原稿読取装置を有する画像形成装置に適用することができる。
【図面の簡単な説明】
【００６９】
【図１】本発明の実施形態に係る画像形成装置を示す正面図である。
【図２】本発明の実施形態に係る原稿読取装置を示す正面図である。
【図３】本発明の実施形態に係る原稿読取装置の開閉カバー部が開いた状態を示す正面図である。
【図４】本発明の実施形態に係る原稿読取装置が有する原稿台を示す平面図である。
【図５】本発明の実施形態に係る原稿読取装置の構成を示すブロック図である。
【図６】本発明の実施形態に係る原稿読取装置による原稿多色であるか、単色であるかの検知方法を説明する図である。
【図７】本発明の実施形態に係る原稿読取装置が有する原稿台に原稿が載せられた状態を示し、図７（ａ）はＡ４サイズの原稿が原稿台に載せられた状態を示す平面図であり、図７（ｂ）は非定型の原稿が原稿台に載せられた状態を示す平面図である。
【図８】本発明の実施形態に係る原稿読取装置の動作を示す第１のフローチャートである。
【図９】本発明の実施形態に係る原稿読取装置の動作を示す第２のフローチャートである。
【符号の説明】
【００７０】
１０    画像形成装置
１２    画像形成部
１００  原稿読取装置
１０６  プラテン部材
１１０  プラテンカバー部
１３０  読取部
２１４  カラー検出回路
２２０  光電変換素子
３０２  操作パネル
３０４  開閉センサ
３０６  原稿センサ
【図１】
2010041389.tif 000003
【図２】
2010041389.tif 000004
【図３】
2010041389.tif 000005
【図４】
2010041389.tif 000006
【図５】
2010041389.tif 000007
【図６】
2010041389.tif 000008
【図７】
2010041389.tif 000009
【図８】
2010041389.tif 000010
【図９】
2010041389.tif 000011